(57)【要約】【課題】簡単な構造で容易に開封することができる開封口付包装箱を提供する。【解決手段】  一枚のブランクシートから一体的に打ち抜かれた箱体形成片１２から成り、箱体形成片１２には、互いに連接された側面６，８，１０，１２と、側面８に形成され側面８の連接方向に対して平行な端部８ａ近傍に設けられ破断線２４，２６により囲まれた開封口３０を備える。開封口３０には、つまみ代２８と、開封口３０内に設けられつまみ代２８と対向しつまみ代２８とは反対方向に凸状に形成された切り込みによる押圧部３２を備える。押圧部３２の付け根両側に形成された一対の連結部３４とを備え、押圧部３２を押圧することにより連結部３４を軸につまみ代２８が起き上がるように形成されている。【選択図】図１
2006089106.tif 000002
【特許請求の範囲】
【請求項１】
一枚のブランクシートから一体的に打ち抜かれた箱体形成片から成り、この箱体形成片には、互いに連接された側面と、この側面のうちの一つに形成され上記側面の連接方向に対して平行な端部近傍に設けられ破断線により形成された開封口と、上記開封口の一端縁に形成されたつまみ代と、上記開封口内に設けられ上記つまみ代と対向し上記つまみ代とは反対方向に凸状に形成された切り込みによる押圧部と、上記押圧部の付け根両側に形成された一対の連結部とを備え、上記押圧部を押圧することにより上記連結部を軸に上記つまみ代が起き上がるように形成されたことを特徴とする開封口付包装箱。
【請求項２】
上記開封口を形成する破断線は、上記つまみ代が形成された上記開封口の縁から上記側面端部に向かって末広がりに設けられたことを特徴とする請求項１記載の開封口付包装箱。
【請求項３】
上記開封口のつまみ代の引き上げ方向が、上記側面端部と平行な方向であることを特徴とする請求項１記載の封口付包装箱。
【請求項４】
一枚のブランクシートから一体的に打ち抜かれた箱体形成片から成り、この箱体形成片には、互いに連接された側面と、この側面のうちの一つに形成され互いに平行に設けられたジッパ線と、このジッパ線により挟まれた部分であるジッパ片の端部に設けられこの端部とは反対方向に凸状に形成された切り込みによる押圧部と、上記押圧部の付け根両側に形成された一対の連結部とを備え、上記押圧部を押圧することにより上記連結部を軸に上記ジッパ部端部が回転して起き上がるように形成されたことを特徴とする開封口付包装箱。
【発明の詳細な説明】
【技術分野】
【０００１】
この発明は、一枚のブランクシートから一体的に打ち抜かれた箱体形成片から成り、種々の商品を収納する開封口付包装箱に関する。
【背景技術】
【０００２】
従来、一枚のブランクシートから一体的に打ち抜かれた箱体形成片からなる一般的な包装箱は、隣接する側面の連接方向に対して平行に位置する端部に蓋片が設けられている。蓋片は、折罫線でこの側面と区切られ、蓋片の先端には、さらに差込片が折罫線で区切られて形成されている。また、蓋片が取り付けられた側面の両側に隣接する側面には、各々フラップが設けられている。
【０００３】
このような包装箱を組み立てるときは、まず箱体形成片の各側面を箱体に組み立て、次に一対のフラップを側面に対して直角に内側に折り曲げ、その後に蓋片を側面に対して直角に折り曲げる。そして、蓋片の先端に設けられた差込片を、この蓋片が設けられた側面に対向する側面の内側に差し込み、差込片と側面を糊付けまたはテープで封止している。
【０００４】
このような包装箱を開封するときは、差込片と側面の糊付け等した部分を剥がし、差込片を引き抜き蓋片を開封する。また、差込片と側面の糊付けを剥がさなくても良いように、側面の糊付け部分の周囲に、破断線が設けられているものがある。この場合は、破断線の内側を押して破断線を切断し、糊付け部分を切り離し、差込片に側面の糊付け部分が付いた状態で、差込片を引き抜き開封する。
【特許文献１】特開２００３−６３５２６号公報
【発明の開示】
【発明が解決しようとする課題】
【０００５】
上記従来の技術では、側面を押して破断線を破る際に、きれいに切断することができず、開封しにくいものであった。また、ブランクシートの強度や破断線の形状等によっては破れにくいものがあり、開封にある程度の力が必要であり面倒であった。さらに、包装用箱の中身によっては、側面を内側に押圧して破断線を破るための押圧スペースが内容物自体に存在しない場合があり、このような場合は、押圧して破断線を破ることはできないものであった。
【０００６】
これらの欠点を改善するため、特許文献１では、箱体を形成する互いに連接した側面と、各側面の連接方向に対して平行な端部付近に設けられた破断線と、その破断線の一部に連続して形成された開口部と、側面の端部と破断線と開口部に囲まれた開封片を備えたものである。箱体を開封する際には、開口部に指先を入れて開封片を引き起こすことにより、破断線を切断し、容易に開封できるとしている。
【０００７】
しかし、開封片は蓋に糊付けされているため、開封片の端に指の爪などで引っかけて起こさなければならず、糊付けの状態によっては、開封片の端部を、指でつまむのに十分な量を引き起こすには、手間がかかるものであった。
【０００８】
この発明は上記従来の問題点に鑑みてなされたものであり、簡単な構造で容易に開封することができる開封口付包装箱を提供することを目的とする。
【課題を解決するための手段】
【０００９】
この発明は、一枚のブランクシートから一体的に打ち抜かれた箱体形成片から成り、この箱体形成片には、互いに連接された側面と、この側面のうちの一つに形成され上記側面の連接方向に対して平行な端部近傍に設けられ破断線により形成された開封口と、上記開封口の一端縁に形成されたつまみ代と、上記開封口内に設けられ上記つまみ代と対向し上記つまみ代とは反対方向に凸状に形成された切り込みによる押圧部と、上記押圧部の付け根両側に形成された一対の連結部とを備え、上記押圧部を押圧することにより上記連結部を軸に上記つまみ代が起き上がるように形成された開封口付包装箱である。
【００１０】
上記開封口を形成する破断線は、上記つまみ代が形成された上記開封口の縁から上記側面端部に向かって末広がりに設けられたものである。また、上記開封口のつまみ代の引き上げ方向が、上記側面端部と平行な方向でもよい。
【００１１】
またこの発明は、一枚のブランクシートから一体的に打ち抜かれた箱体形成片から成り、この箱体形成片には、互いに連接された側面と、この側面のうちの一つに形成され互いに平行に設けられたジッパ線と、このジッパ線により挟まれた部分であるジッパ片の端部に設けられこの端部とは反対方向に凸状に形成された切り込みによる押圧部と、上記押圧部の付け根両側に形成された一対の連結部とを備え、上記押圧部を押圧することにより上記連結部を軸に上記ジッパ部端部が回転して起き上がるように形成された開封口付包装箱である。
【発明の効果】
【００１２】
この発明の開封口付包装箱によれば、側面に形成された開封口の押圧部を押圧することにより、つまみ代が起き上がりつまみ代を指でつまみやすくなり、このつまみ代を指で引き起こすことにより開封可能となるため、簡単な構造で容易に蓋片を開封することができるものである
【発明を実施するための最良の形態】
【００１３】
以下、この発明の開封口付包装箱の実施形態について、図１〜図４を基にして説明する。この発明の第一実施形態の開封口付包装箱について、図１〜図３に基づいて説明する。この実施形態の開封口付包装箱は、商品を包装する箱として使用される。図１、図２で示す開封口付包装箱２は、厚紙等の一枚のブランクシートを打ち抜いて形成された箱体形成片４を組み立てて設けられている。図１に示す箱体形成片４は、側面６，８，１０，１２が、互いに平行に連接して形成されている。さらに側面１２の側縁部には、開封口付包装箱２の組立状態で側面６の内側に糊付けされる糊付片１４が設けられている。そして、側面６，８，１０，１２及び糊付片１４は、各々折罫線１６，１８，２０，２２で区切られている。
【００１４】
側面８の、隣接する側面６と側面１０の連接方向に対して平行に位置する端部８ａ近傍には、端部８ａに対して垂直に形成され部分的に繋がった破断線２４，２６が端部８ａ近傍の所定長さで形成されている。側面８の端部８ａ近傍には、破断線２４，２６の先端部から、端部８ａに平行な切り込みを介して、端部８ａとは反対側に膨らんだ切り込みにより形成された舌状突起のつまみ代２８が形成されている。そして、破断線２４，２６とつまみ代２８を形成する切り込みにより囲まれた部分が、開封口３０となる。開封口３０の中央近傍には、コの字状の切り込みが入れられ、舌片状の押圧部３２を形成している。また、この押圧部３２の付け根の両側は、破断線２４，２６と所定の間隔をおいて位置し、一対の連結部３４が形成され、つまみ部２８と繋がっている。
【００１５】
側面８に隣接する側面６，１０の連接方向に対して平行に位置する両端部には、フラップ３６，３８，４０，４２が設けられている。フラップ３６，３８，４０，４２は、隣接する側面と折罫線４４，４６，４８，５０で区切られている。そして、フラップ３６，３８の折罫線１６側には段部５２，５４が形成され、フラップ４０，４２の折罫線１８側には段部５６，５８が形成されている。
【００１６】
側面１０に隣接する側面１２には、糊付片１４の連接方向に対して平行に位置する端部に、蓋片６０，６２が設けられている。蓋片６０は、折罫線６４で側面１２と区切られている。さらに、側面１２の折罫線６４の近傍には、折罫線６４と平行に折罫線６２が設けられている。蓋片６０には、さらに差込片６６が折罫線６８で区切られて設けられている。他方の蓋片６２は、折罫線７０で側面１２と区切られ、差込片７２が折罫線７４で区切られて設けられている。折罫線７４の両側には切込線７６が各々設けられている。
【００１７】
次に、この実施形態の開封口付包装箱２の組み立て方法について説明する。なお、ここでは図１がこの包装箱２の紙面表面側を見たものであり、図１において紙面表面側が凸になる折り方を山折り、そして紙面裏面側が凸になる折り方を谷折りと称する。
【００１８】
まず、糊付片１４の表面に糊置きし、折罫線１６，２０を山折りし、糊付片１４表面を側面６の裏面に糊付けする。次に商品を収容し包装する工場において、折罫線１６，１８，２０，２２を各々９０°に山折りして四角形の箱体にする。そして、折罫線４６，５０でフラップ３８，４２を山折りし、その後折罫線７０で蓋片６２を山折りし差込片７２を側面８の内側に差し込み閉鎖する。この状態で、商品が中に入れられる。次に折罫線４４，４８でフラップ３６，４０を山折りし、その後折罫線６４で蓋片６０を山折りし差込片６６を側面８の端部８ａから内側に差し込み閉鎖する。このとき、差込片６６は、開封口３０の裏面に糊付けされ、さらに必要に応じてラベルが蓋片６０から開封口３０の押圧部３２上方にかけて貼付される。
【００１９】
次に、包装箱２を開封するときは、まず側面８の開封口の押圧部３０を図２（ａ）に示すように、指先などで押圧する。すると、連結部３４を回転軸に回転して、図２（ｂ）に示すように、つまみ代２８が起き上がりつまみやすくなる。この状態で、このつまみ代２８を指先でつまみ、引き起こす。そして、開封口３０のつまみ代２８を端部８ａに向かって引き上げ、破断線２４，２６を切断し、開封口３０を側面８から分離する。これにより、差込片６６が側面８から引き抜かれ、蓋片６０を開封することができる。また、開封口３０を差込片６６から分離しても良い。
【００２０】
この実施形態の開封口付包装箱によれば、簡単な操作により開封口３０を分離して、蓋片６０の差込片６６を開けやすくし、きれいで簡単に開封することができる。開封口３０は、押圧部３２を指先で押圧するだけで、連結部３４を回転軸に、つまみ代２８大きく起こすことができ、側面８の表面からつまみ代２８が大きく起き上がっているため、指先でつまみやすく好都合である。
【００２１】
なお、この実施形態の包装箱２は、開封口３０の形状や位置は自由に変更可能である。例えば、図３（ａ）に示すように、開封口７８を構成する２本の破断線８０，８２の一方を側面８の端部８ａに対して斜めとし、端部８ａに対して垂直でなくてもよい。
【００２２】
その他、図３（ｂ）に示すように、開封口８４のめくり代８６と押圧部８８の回転軸が、側面８の端部８ａに垂直方向になるように形成してもよい。この場合、押圧部８８を押圧すると、端部８ａに垂直方向の回転軸によりめくり代８６が起き上がり、隆起したつまみ代８６をつまみ、端部８ａに平行に折罫線１８に向かって移動させ、破断線９４，９６により開封口８４を破断してもよい。
【００２３】
次に、この発明の第二実施形態の開封口付包装箱２について、図４に基づいて説明する。図４で示す箱形形成片９８は、図１、図２に示す包装箱と同様に、厚紙等の一枚のブランクシートを打ち抜いて形成された箱体形成片を組み立てて設けられるものである。図４に示す箱体形成片９８は、側面１００，１０２，１０４，１０６が、互いに平行に連接して形成されている。さらに側面１０６の側縁部には、包装箱の組立状態で側面１００の内側に糊付けされる糊付片１０８が設けられている。そして、側面１００，１０２，１０４，１０６及び糊付片１０８は、各々折罫線１１０，１１２，１１４，１１６で区切られている。
【００２４】
側面１０２の、隣接する側面１００と側面１０４の連接方向に対して平行で側面１０２中央近傍から若干側面１０２の端部１０２ａ寄りに、適宜な幅を持つジッパ部１１８が設けられている。ジッパ部１１８は、側面１０２を折罫線１１０から折罫線１１２にかけて、互いに平行に形成された一対の断続する切り込み線であるジッパ線１１５により区切られている。ジッパ部１１８は、中央部で切り込み１２０により、ジッパ片１１８ａとジッパ片１１８ｂの２分割可能に設けられている。この切り込み１２０の両端部は、Ｖ字状に切り込みされ両側のジッパ線１１５に繋がっている。ジッパ片１１８ａとジッパ片１１８ｂの切り込み１２０寄りに、切り込み１２０を中心として対称にコの字状の切り込みによる押圧部１２２ａ，１２２ｂが形成されている。
【００２５】
側面１０２に隣接する側面１００，１０４の連接方向に対して平行に位置する両端部に、フラップ１２４，１２６，１２８，１３０が設けられている。フラップ１２４，１２６，１２８，１３０は、隣接する側面と折罫線１３２，１３４，１３６，１３８で区切られている。そして、フラップ１２４，１２６の折罫線１１０側には段部１４０，１４２が形成され、フラップ１２８，１３０の折罫線１１２側には段部１４４，１４６が形成されている。
【００２６】
側面１０４に隣接する側面１０６には、糊付片１０８の連接方向に対して平行に位置する端部に、蓋片１４８，１５０が設けられている。蓋片１４８は、折罫線１５２で側面１０６と区切られ、折罫線１５２から側面１０６の中央寄りには折罫線１５４が設けられている。蓋片１４８には、さらに差込片１５６が折罫線１５８で区切られて設けられている。蓋片１５０は、折罫線１６０で側面１０６と区切られ、差込片１６２が折罫線１６４で区切られて形成されている。折罫線１６４の両側には切込線１６６が各々設けられている。
【００２７】
側面１００，１０４、糊付け片１０８には切込斜線１６８ａ，１６８ｂ，１６８ｃが設けられている。切込斜線１６８ａと切込斜線１６８ｃは、側面１００の裏面に糊付面１０８を貼り付けた際に、切込斜線１６８ａと切込斜線１６８ｃの斜度が一致して重なるように形成されている。また、切込斜線１６８ｂは、側面１０２により切込線１６８ａと対称を成すように設けられ、折罫線１１０上で、切込斜線１６８ａの一方の一端部とジッパ線１１５の一端部が一致状態にある。さらに、切込斜線１６８ｂの一端部は、折罫線１１２上にて他のジッパ線１１５の一端部と繋がっている。切り込み線１６８ｂの他端部は、折罫線１１４上にて折罫線１５４の一端部と一致している。
【００２８】
次に、この実施形態の箱体形成品の組み立てについて説明する。まず、糊付片１０８の表面に糊置きし、折罫線１１０，１１４を山折りし、糊付片１０８表面を側面１１０の裏面に糊付けする。次に商品を収容し包装する工場において、折罫線１１０，１１２，１１４，１１６を各々９０°に山折りして四角形の箱体にする。そして、折罫線１３４，１３８でフラップ１２６，１３０を山折りし、その後折罫線１６０で蓋片１５０を山折りし、差込片１６２を側面１０２の内側に差し込み閉鎖する。この状態で、商品が中に入れられる。次に、折罫線１３２，１３６でフラップ１２４，１２８を山折りし、その後折罫線１５２で蓋片１４８を山折りし、差込片１５６を側面１０２の端部１０２ａから内側に差し込み閉鎖する。
【００２９】
包装箱を開封するときは、例えば、まず側面１０２のジッパ片１１８ａの押圧部１２２ａを指先で押圧する。すると、押圧部１２２ａの付け根部分の両端をねじるようにジッパ片１１８ａの切込１２０を形成する端部がめくれ、隆起する。このめくれ部分が、つまみ代となる。そして、めくれ部分を指でつまみ、側面１０２の端部１０２ａに平行に折罫線１１０に向かって引き起こし、移動させ、ジッパ片１１８ａをジッパ線１１５に沿って切断し取り去る。同様に、ジッパ片１１８ｂの押圧部１２２ｂを指先で押圧し、めくれ部分を指でつまみ、側面１０２の端部１０２ａに平行に折罫線１１２に向かって引き起こし、移動させ、ジッパ片１１８ｂをジッパ線１１５に沿って切断し取り去る。
【００３０】
さらにジッパ部１１８を取り除いた開口部分に指先を挿入し、切込斜線１６８ａ，１６８ｂ，１６８ｃを切り離すと、側面１０６が折罫線１５４にて谷折りされ、包装箱が開封される。
【００３１】
この実施形態の開封口付包装箱によれば、側面１０２に設けたジッパ部１１８により、より大きな開封口を形成することができ、指先をかけやすい。また、切込斜線１６８ａ，１６８ｂ，１６８ｃにより包装箱がより大きく開口するため、収容物を容易に取り出すことができるものである。
【００３２】
なお、この発明の開封口付包装箱は、開封片や蓋片、差込片の形状、位置等は自由に変更可能である。つまみ代の形状はつまむことが可能案形状であれば良く、円弧状やコ字状その他適宜の形状を選択し得る。また、押圧部の形状もつまみ部と両端が対向するような形状であれば良く、コ字状の切り込み以外に、湾曲したものや多角形状、その他任意の形状でよい。さらに、開封口付包装箱の素材などは、切込線や破断線にて切断可能な素材であれば、適宜選択可能である。
【図面の簡単な説明】
【００３３】
【図１】この発明の第一実施形態の開封口付包装箱を示す展開図である。
【図２】この実施形態の開封口の開封方法を示す概略斜視図である。
【図３】この実施形態の開封口の変形例を示す部分展開図である。
【図４】この発明の第二実施形態の開封口付包装箱を示す展開図である。
【符号の説明】
【００３４】
２  包装箱
４  箱体形成片
６，８、１０，１２  側面
８ａ  端部
２４，２６  破断線
２８  つまみ代
３０  開封口
３２  押圧部
３４  連結部
【図１】
2006089106.tif 000003
【図２】
2006089106.tif 000004
【図３】
2006089106.tif 000005
【図４】
2006089106.tif 000006